(57)【要約】【課題】カッター不要の磁気テープ構造の提供。【解決手段】一種のカッター不要の磁気テープ構造、主に長い帯状の軟質磁気基材より構成する。この基材のおもて表面にスプレー層または塗布層、その裏表面に被覆するグルー層、および表面は同じ方向に連続して配列された型押し組織より構成する。リール状に巻き上げて、利用者が便利に携帯のほか、連続して配列した型押し組織は外力または鋏により、型押し組織から引き裂く、または切断できる。【選択図】図１
0003121998.tif 000002
【実用新案登録請求の範囲】
【請求項１】
長い帯状の軟性磁化基材を具え、係る基材は離型面に混合するスプレー層または塗布層、および他端に被覆するグルー層を設け、基材は少なくとも表面に連続して配列した型押し組織を設けた後、基材はリール構造を形成することを特徴とするカッター不要の磁気テープ構造。
【請求項２】
請求項１記載のカッター不要の磁気テープ構造において、離型面の単一方向は同一方向に配列した型押し組織構造であることを特徴とするカッター不要の磁気テープ構造。
【請求項３】
請求項１記載のカッター不要の磁気テープ構造において、離型面に異なる方法に、さまざまな方向に配列した型押し組織構造であることを特徴とするカッター不要の磁気テープ構造。
【請求項４】
請求項１または請求項２、あるいは請求項３記載のカッター不要の磁気テープ構造において、型押し組織は深さを特定した溝型構造であることを特徴とするカッター不要の磁気テープ構造。
【請求項５】
請求項１または請求項２、あるいは請求項３記載のカッター不要の磁気テープ構造において、型押し組織に背骨部、およびそれぞれの背骨部と隣り合う谷部構造であることを特徴とするカッター不要の磁気テープ構造。
【請求項６】
請求項１または請求項２、あるいは請求項３記載のカッター不要の磁気テープ構造において、型押し組織は線型凹み溝の構造であることを特徴とするカッター不要の磁気テープ構造。
【請求項７】
請求項１または請求項２、あるいは請求項３記載のカッター不要の磁気テープ構造において、型押し組織は線型に配列した凹み点の構造であることを特徴とするカッター不要の磁気テープ構造。
【請求項８】
請求項１または請求項２、あるいは請求項３記載のカッター不要の磁気テープ構造において、型押し組織は線型に配列した細かい穿孔構造であることを特徴とするカッター不要の磁気テープ構造。
【請求項９】
請求項１または請求項２、あるいは請求項３記載のカッター不要の磁気テープ構造において、基材に特定長さの型押し組織構造であることを特徴とするカッター不要の磁気テープ構造。
【請求項１０】
請求項９記載のカッター不要の磁気テープ構造において、特定長さは磁極単位の距離に基づいて設定する構造であることを特徴とするカッター不要の磁気テープ構造。
【請求項１１】
請求項９記載のカッター不要の磁気テープ構造において、特定長さは非等間隔構造であることを特徴とするカッター不要の磁気テープ構造。
【請求項１２】
請求項１または請求項２、あるいは請求項３記載のカッター不要の磁気テープ構造において、型押し組織は不規則形状の型押し縞構造であることを特徴とするカッター不要の磁気テープ構造。
【請求項１３】
請求項１または請求項２、あるいは請求項３記載のカッター不要の磁気テープ構造において、スプレー層または塗布層に顔料を混合する構造であることを特徴とするカッター不要の磁気テープ構造。
【考案の詳細な説明】
【技術分野】
【０００１】
本考案は一種のカッター不要の磁気テープ構造、特に一種のテープ形式の軟性磁化基材に同一方向の型押し組織を配置して、利用者は素手により、いずれの同一方向の型押し組織にそって、テープを引き裂く、または切断できる。
【背景技術】
【０００２】
軟質磁石のほとんどは、酸化鉄またはその他の磁気粉末にゴム、プラスチックなどを添加して加工された片形状または塊状の部材を１回以上の着磁加工により、パルス電流を異なる磁気区画の誘導磁気盤を通過させ、基礎材の表面より異なる磁性の磁極を誘導し、靱性を有し、鉄製（被吸収物）の軟質磁石を吸着または吸着させる。この軟質磁石は装飾性を帯びた磁気塊(片)、磁性クリップ、磁性文書ファイル、またはその他補助的な文書固定部材に加工し、応用分野をさらに広げられる。
【０００３】
通常、軟質磁石の生産は、成形、磁気付着処理および切断などのプロセスを経て、製品化する。
【０００４】
しかしながら、従来の軟質磁石は切断方式により、特注要求に従って、分条または分塊するほか、薄片型の磁石はなお裁断器具に頼らなければならない。使用の不便をきたす。さらに、それらの軟質磁石は長尺の裁断作業を実施するとき、精密計器の計測と固定台により、裁断作業を行わなければならない。一方、モジュール化された軟質磁石の生産ラインは、前記の機具による測量と裁断作業は、生産プロセスを複雑化のほか、生産コストがアップした結果、全体の生産能力を低下させる。
【０００５】
この種の磁石構造にもう一つの課題がある。ある業者は従来のリールに巻き上げて、必要なとき、その一端をつまみ出して、必要な量を切断し適切な場所に貼り付けて、被覆による保護効果を提供する片面粘着テープの便利性を発見し、この従来式の片面粘着テープの構造を改良したものは、特許文献１の「改良式両面粘着テープ」において、開示されている。
【０００６】
前記の公開特許により、テープ構造設計の改良または機能の追加により、産業上の利用価値が向上されている。前記の特許文献１「改良式両面粘着テープ」は、主に軟質プラスチックス素材ポリ塩化ビニール、エチレン、酢酸ポリビニール(ＥＶＡ)などを使用したテープ本体の底面に粘着層を塗布し、テープ本体の天面に高粘着性を帯びた両面粘着フィルムを貼り合わせて、テープ本体の両面に粘性表面層構造を形成し、粘着フィルムの背面に両面の離型紙を貼り合わせて、リールに巻き上げて、両面粘着テープ製品を仕上げる。
【０００７】
しかしながら、前記のテープ本体の構造は、さまざまなニーズを応えるためには、さらに改善の余地がある。一例として、公知の粘着テープの組織をフィルムまたは片形状の基材と組み合わせた上、その磁石基材をより簡単に引き離せる機能を持たせて、両面に塗装層または粘着層と結合する構造を設けて、粘着機能と吸着機能を持たせる。この種の課題は前記の参考資料には開示または論議されていない。
【０００８】
よって、その軟質磁石の組成構造に再分析を行い、より簡単な切断性と便利性を持たせることにより、公知技術の製品に対して、前記の生産プロセス複雑化の欠点が改善される。
【０００９】
【特許文献１】台湾特許公告５００１２６号明細書
【考案の開示】
【考案が解決しようとする課題】
【００１０】
本考案の主な目的は、長い帯状の軟質磁気基材を具え、この基材の上端面にスプレー層または塗布層、その下端面に被覆するグルー層、および表面は同じ方向に連続して配列された型押し組織より構成する。リール状に巻き上げて、利用者が便利に携帯のほか、連続して配列した型押し組織は外力または鋏により、型押し組織から引き裂く、または切断可能な一種のカッター不要の磁気テープ構造を提供する。
【課題を解決するための手段】
【００１１】
請求項１の考案は、長い帯状の軟性磁化基材を具え、係る基材は離型面に混合するスプレー層または塗布層、および他端に被覆するグルー層を設け、基材は少なくとも表面に連続して配列した型押し組織を設けた後、基材はリール構造を形成することを特徴とする一種のカッター不要の磁気テープ構造としている。
請求項２の考案は、請求項１記載のカッター不要の磁気テープ構造において、離型面の単一方向は同一方向に配列した型押し組織構造であることを特徴とするカッター不要の磁気テープ構造としている。
請求項３の考案は、請求項１記載のカッター不要の磁気テープ構造において、離型面に異なる方法に、さまざまな方向に配列した型押し組織構造であることを特徴とするカッター不要の磁気テープ構造としている。
請求項４の考案は、請求項１または請求項２、あるいは請求項３記載のカッター不要の磁気テープ構造において、型押し組織は深さを特定した溝型構造であることを特徴とするカッター不要の磁気テープ構造としている。
請求項５の考案は、請求項１または請求項２、あるいは請求項３記載のカッター不要の磁気テープ構造において、型押し組織に背骨部、およびそれぞれの背骨部と隣り合う谷部構造であることを特徴とするカッター不要の磁気テープ構造としている。
請求項６の考案は、請求項１または請求項２、あるいは請求項３記載のカッター不要の磁気テープ構造において、型押し組織は線型凹み溝の構造であることを特徴とするカッター不要の磁気テープ構造としている。
請求項７の考案は、請求項１または請求項２、あるいは請求項３記載のカッター不要の磁気テープ構造において、型押し組織は線型に配列した凹み点の構造であることを特徴とするカッター不要の磁気テープ構造としている。
請求項８の考案は、請求項１または請求項２、あるいは請求項３記載のカッター不要の磁気テープ構造において、型押し組織は線型に配列した細かい穿孔構造であることを特徴とするカッター不要の磁気テープ構造としている。
請求項９の考案は、請求項１または請求項２、あるいは請求項３記載のカッター不要の磁気テープ構造において、基材に特定長さの型押し組織構造であることを特徴とするカッター不要の磁気テープ構造としている。
請求項１０の考案は、請求項９記載のカッター不要の磁気テープ構造において、特定長さは磁極単位の距離に基づいて設定する構造であることを特徴とするカッター不要の磁気テープ構造としている。
請求項１１の考案は、請求項９記載のカッター不要の磁気テープ構造において、特定長さは非等間隔構造であることを特徴とするカッター不要の磁気テープ構造としている。
請求項１２の考案は、請求項１または請求項２、あるいは請求項３記載のカッター不要の磁気テープ構造において、型押し組織は不規則形状の型押し縞構造であることを特徴とするカッター不要の磁気テープ構造としている。
請求項１３の考案は、請求項１または請求項２、あるいは請求項３記載のカッター不要の磁気テープ構造において、スプレー層または塗布層に顔料を混合する構造であることを特徴とするカッター不要の磁気テープ構造としている。
【考案の効果】
【００１２】
一種のカッター不要の磁気テープ構造、主に長い帯状の軟質磁気基材より構成する。この基材のおもて表面にスプレー層または塗布層、その裏表面に被覆するグルー層、および表面は同じ方向に連続して配列された型押し組織より構成する。リール状に巻き上げて、利用者が便利に携帯のほか、連続して配列した型押し組織は外力または鋏により、型押し組織から引き裂く、または切断できる。
【考案を実施するための最良の形態】
【００１３】
図１と図２に示すとおり、長い帯状の軟性磁化基材１１を有し、この基材１１の片面に設けるスプレー層または塗布層は離型効果の剤型または顔料の離型面１２、および他面に貼り合わせるグルー層１３より構成する。さらに、このスプレー層または塗布層１２１の離型面１２に、同じ方向に連続して配列した型押し組織１４を設ける。この組織は等間隔（図２）、非等間隔(図５)または磁極間隔(図６)などさまざまな形式が設けられる。本実施例において、型押し組織１４は、深さを特定した溝型を離型面１２に設ける。離型面１２を外向きにし、グルー層１３の片面を内向きにより、巻き上げ状態を形成する。
【００１４】
図２に示すものは、本考案の磁化基材１１の断面拡大表示図である。それぞれの型押し組織１４は等間隔(または非等間隔あるいは磁極間隔)に基材１１表面に歯形配列構造を形成し、それぞれの型押し組織１４に背骨部１４１および各背骨部１４１と隣り合う谷部１４２を設ける。そのうち、谷部１４２は主に基材１１の厚みを変更し、前記した外力または鋏は、この谷部１４２が形成した経路より、磁性粘着テープを引き裂けることができる。本実施例において、利用者は裁断器具使用の必要がなく、磁気粘着テープの切断を実現できる。前記の型押し組織１４の形態はさらに、線型凹み溝、または線型で配列した凹み部、あるいは線型で配列した細かい穿孔(図１０)などを設けても良い。
【００１５】
好ましい実施例は、前記の片形状、または帯状の軟性磁化基材１１はプラスチック、ゴムまたは樹脂などの素材に着磁可能な物質を混合し、フィルム体または基材素材１１Ａ(図３)を形成した上、生産ラインにて、このフィルム体または基材素材１１Ａを着磁加工し、その上下端面は生産工程で、離型効果のスプレー層または塗布層１２１(離型効果を有する剤型または顔料など)、および高粘着性を帯びたグルー層１３(感圧式グルー層など)を設けて、自動裁断機により，リール形態の製品に仕上げる。巻き上げ工程において、グルー層１３を内向きにし、離型効果を有する離型面１２を外向きにして、順次に巻き上げて多層リール状態に仕上げる。そのうち、スプレー層または塗布層１２１はグルー層１３を仕切り、基材１１の内層と外層が便利に引き裂くことができる。
【００１６】
図３に示すものは、自動裁断機具による裁断、巻き上げ作業の表示図である。複数のドラム単元２０、カッター組２４、および加工済みで型押し組織１４を備える基材素材１１Ａを提供する。基材素材１１Ａを主ドラム２１に取り付けて、基材素材１１Ａはツインドラム２３から引き出して、カッター組２４によって分条、副ドラムで巻き挙げて、基材素材１１Ａを複数片の基材１１となり、それぞれの副ドラム２２にて巻き上げて、多層形式のリール包装形態に仕上げる。
【００１７】
図４に示すものは、もう一つの好ましい実施例において、自動裁断機の裁断、巻き上げおよび型押し作業の表示図である。ツインドラム２３は離型面１２の同一端面に、同一方向の縞を配列した切り付け跡２１１を形成し、基材１１Ａがツインドラム２３を通したとき、基材素材１１Ａ上に型押し組織１４を形成した上、分条、巻き上げ工程に進められる。型押し組織１４の配列態様によって、切り付け跡２１１の形式を決める。型押し作業の後、基材１１上に横方配列(図８)または縦方向配列(図１２)、点状またはピンホールに分布(図１０)、波形状分布(図１１)またはその他の形態組織であっても良い。
【００１８】
図７と図９に示すとおり、型押し組織１４に取り付けた磁気粘着テープは、利用者が操作するとき、素手で外力または鋏により、連続して配列した型押し組織１４の方向に沿って、引き裂くことができる。図１１に示すとおり、本考案の派生実施例である。軟性磁化基材１１に特定長さの型押し組織１４を設けて、特定の寸法で使用するとき、連続して配列した型押し組織１４を繰り返して数えることなく、そのまま引き裂けて利用することができる。業者は計尺した上、裁断器具で裁断することなく、補助器具(物差しまたはカッター)を用いて、型押し組織を備える磁気粘着テープを必要な寸法、形状に従い、型押し方向よりそのまま引き裂けて利用することができる。
【図面の簡単な説明】
【００１９】
【図１】本考案の立体表示図である。
【図２】本考案の等間隔型押し組織の断面表示図である。
【図３】本考案の裁断器具における裁断、巻き上げ作業の表示図である。
【図４】本考案の横向き型押し器具の型押し作業表示図である。
【図５】本考案の非等間隔型押し組織の断面表示図である。
【図６】本考案の磁極間隔による型押し携帯の断面表示図である。
【図７】本考案の横向き型押し形の表示図である。
【図８】本考案の図３の局部拡大表示図である。
【図９】本考案の点状型押し形の表示図である。
【図１０】本考案の図９Ａ部分の拡大表示図である。
【図１１】本考案より派生した実施態様表示図である。
【図１２】本考案もう一つの派生実施態様表示図である。
【符号の説明】
【００２０】
１１  基材
１１Ａ  基材素材
１２  離型面
１２１  スプレー層または塗布層
１３  グルー層
１４  型押し組織
１４１  背骨部
１４２  谷部
２０  ドラム単元
２１  主ドラム
２１１  切り付け跡
２２  副ドラム
２３  ツインドラム
２４  カッター組
【図１】
0003121998.tif 000003
【図２】
0003121998.tif 000004
【図３】
0003121998.tif 000005
【図４】
0003121998.tif 000006
【図５】
0003121998.tif 000007
【図６】
0003121998.tif 000008
【図７】
0003121998.tif 000009
【図８】
0003121998.tif 000010
【図９】
0003121998.tif 000011
【図１０】
0003121998.tif 000012
【図１１】
0003121998.tif 000013
【図１２】
0003121998.tif 000014